(57)【要約】      （修正有）【課題】印刷禁止の機密文書等を印刷することに対する警告をわかりやすく伝える画像形成装置を提供する。【解決手段】取得した画像情報から地紋パターンを検出する地紋パターン検出部１０４と、地紋パターン検出部１０４によって検出された地紋パターンを所定の印刷禁止地紋パターンと比較して両パターンの一致を認識するパターン一致認識部１０６と、パターン一致認識部１０６によって認識された認識結果に基づいて、画像情報の印刷禁止範囲を判定する印刷禁止範囲判定部１０７と、印刷禁止範囲判定部１０７によって判定された画像情報の印刷禁止範囲に所定の画像処理を施すシステム制御部１０１と、システム制御部１０１によって所定の画像処理が施された画像情報を記録紙へ印刷する印刷部１０８と、を備える。【選択図】        図１
2007049656.tif 000002
【特許請求の範囲】
【請求項１】
取得した画像情報から地紋パターンを検出する検出手段と、
前記検出手段によって検出された前記地紋パターンを所定の印刷禁止地紋パターンと比較して両パターンの一致を認識する認識手段と、
前記認識手段によって認識された認識結果に基づいて、前記画像情報の印刷禁止範囲を判定する判定手段と、
前記判定手段によって判定された前記画像情報の前記印刷禁止範囲に所定の画像処理を施す制御手段と、
前記制御手段によって所定の画像処理が施された前記画像情報を記録紙へ印刷する印刷手段と、
を備えることを特徴とする画像形成装置。
【請求項２】
前記制御手段は、前記判定手段によって判定された前記画像情報の前記印刷禁止範囲を印刷しないとともに、当該印刷禁止範囲の一部分に印刷禁止を示す文字列を含む所定画像を印刷することを特徴とする請求項１に記載の画像形成装置。
【請求項３】
前記判定手段は、前記認識手段によって地紋パターンの一致が認識された場合、原稿全体を印刷禁止範囲として判定することを特徴とする請求項１または２に記載の画像形成装置。
【請求項４】
前記検出手段は、前記画像情報を走査して地紋パターンを検出するものであり、
前記判定手段は、前記認識手段によって地紋パターンの一致が認識された場合、認識された走査位置以降を印刷禁止範囲として判定することを特徴とする請求項１または２に記載の画像形成装置。
【請求項５】
前記検出手段は、一定面積毎に地紋パターンを検出し、
前記印刷手段は、前記一定面積毎に印刷を行うことを特徴とする請求項４に記載の画像形成装置。
【請求項６】
前記制御手段からの指示に基づいて、印刷禁止の状態の旨を表示する表示手段を備えていることを特徴とする請求項１〜５のいずれか一つに記載の画像形成装置。
【請求項７】
前記表示手段による前記印刷禁止の状態の表示を制御する表示制御手段を備え、当該表示制御手段は、前記表示手段によって前記表示されている印刷禁止の状態の解除指示があるまで、前記表示手段の表示内容を継続して表示することを特徴とする請求項６に記載の画像形成装置。
【請求項８】
前記表示制御手段は、管理者権限の認証によって前記表示手段による表示を解除することを特徴とする請求項７に記載の画像形成装置。
【請求項９】
画像情報から地紋パターンを検出する検出工程と、
前記検出工程によって検出された地紋パターンを印刷禁止地紋パターンと比較して両パターンの一致を認識する認識工程と、
前記認識工程によって認識された認識結果に基づいて原稿の印刷禁止範囲を判定する判定工程と、
前記判定工程によって判定された印刷禁止範囲に所定の画像処理を施すように制御する制御工程と、
前記制御工程によって制御された画像情報を記録紙へ印刷する印刷工程と、
を含むことを特徴とする画像形成方法。
【請求項１０】
請求項９に記載の画像形成方法をコンピュータに実行させることを特徴をする画像形成プログラム。
【請求項１１】
請求項１０に記載の画像形成プログラムを記録したことを特徴とするコンピュータに読み取り可能な記録媒体。
【発明の詳細な説明】
【技術分野】
【０００１】
この発明は、印刷禁止の原稿の印刷を防止する画像形成装置、画像形成方法、画像形成プログラムおよび記録媒体に関する。
【背景技術】
【０００２】
従来、たとえば企業において、機密文書に対する印刷防止対策として、印刷禁止の原稿画像に地紋パターンを埋め込む方法がとられていた。地紋パターンは、原稿画像においてはそれほど目立たないので、使用者等が原稿画像に含まれている内容（たとえば文字等）自体は容易に認識できるようになっている。地紋パターンが埋め込まれた原稿画像が印刷されると、「複写禁止」等のメッセージが浮かび上がる。これにより、使用者等は、その複写物が印刷禁止の機密文書であったことを認識することができ、心理的に印刷行為を抑制していた。
【０００３】
近年、文書内容の機密保持のため、印刷禁止の機密文書が多数存在する。それにともない印刷禁止の機密文書に対して、より確実に印刷を防止する装置が提案されている。たとえば、原稿画像の背景画像に地紋パターンを埋め込み、スキャナ等の読み取り部が、その原稿画像の画像情報を読み取る。そして、読み取った原稿画像から検知した地紋パターンが、印刷禁止と記憶されている地紋パターンと同一と判断された場合には、印刷を禁止するようになっている。印刷禁止処理の具体例としては、複写機の動作を停止させる、未印刷状態の白紙を出力する等があげられる（下記特許文献１〜５参照。）。
【０００４】
【特許文献１】特開２００４−２００８９７号公報
【特許文献２】特開２００４−２００９６２号公報
【特許文献３】特開２００４−２０１０６８号公報
【特許文献４】特開２００４−２０１０６９号公報
【特許文献５】特開２００４−２７４０９２号公報
【発明の開示】
【発明が解決しようとする課題】
【０００５】
しかしながら、上述した装置では、印刷禁止画像に対する印刷抑制対策としては、十分ではなく、使用者によっては、白紙の紙が出力される等の処理では、印刷禁止の機密文書等を印刷することに対する警告をわかりやすく伝えることができなかった。
【０００６】
さらに、画像形成装置が印刷禁止の機密文書等であると判断した場合に浮かび上がる地紋パターン等が要する領域が大きい場合は、トナー等の印字剤の消費量が増えてしまう。
【０００７】
この発明は、上述した従来技術による問題点を解消するため、不正な印刷行為を効果的に抑制でき、機密文書等の印刷防止を実現する画像形成装置、画像形成方法、画像形成プログラムおよび記録媒体を提供することを目的とする。
【課題を解決するための手段】
【０００８】
上述した課題を解決し、目的を達成するため、請求項１の発明にかかる画像形成装置は、取得した画像情報から地紋パターンを検出する検出手段と、前記検出手段によって検出された前記地紋パターンを所定の印刷禁止地紋パターンと比較して両パターンの一致を認識する認識手段と、前記認識手段によって認識された認識結果に基づいて、前記画像情報の印刷禁止範囲を判定する判定手段と、前記判定手段によって判定された前記画像情報の前記印刷禁止範囲に所定の画像処理を施す制御手段と、前記制御手段によって所定の画像処理が施された前記画像情報を記録紙へ印刷する印刷手段と、を備えることを特徴とする。
【０００９】
また、請求項２の発明にかかる画像形成装置は、請求項１に記載の発明において、前記制御手段は、前記判定手段によって判定された前記画像情報の前記印刷禁止範囲を印刷しないとともに、当該印刷禁止範囲の一部分に印刷禁止を示す文字列を含む所定画像を印刷することを特徴とする。
【００１０】
また、請求項３の発明にかかる画像形成装置は、請求項１または２に記載の発明において、前記判定手段は、前記認識手段によって地紋パターンの一致が認識された場合、原稿全体を印刷禁止範囲として判定することを特徴とする。
【００１１】
また、請求項４の発明にかかる画像形成装置は、請求項１または２に記載の発明において、前記検出手段は、前記画像情報を走査して地紋パターンを検出するものであり、前記判定手段は、前記認識手段によって地紋パターンの一致が認識された場合、認識された走査位置以降を印刷禁止範囲として判定することを特徴とする。
【００１２】
また、請求項５の発明にかかる画像形成装置は、請求項４に記載の発明において、前記検出手段は、一定面積毎に地紋パターンを検出し、前記印刷手段は、前記一定面積毎に印刷を行うことを特徴とする。
【００１３】
また、請求項６の発明にかかる画像形成装置は、請求項１〜５のいずれか一つに記載の発明において、前記制御手段からの指示に基づいて、印刷禁止の状態の旨を表示する表示手段を備えていることを特徴とする。
【００１４】
また、請求項７の発明にかかる画像形成装置は、請求項６に記載の発明において、前記表示手段による前記印刷禁止の状態の表示を制御する表示制御手段を備え、当該表示制御手段は、前記表示手段によって前記表示されている印刷禁止の状態の解除指示があるまで、前記表示手段の表示内容を継続して表示することを特徴とする。
【００１５】
また、請求項８の発明にかかる画像形成装置は、請求項７に記載の発明において、前記表示制御手段は、管理者権限の認証によって前記表示手段による表示を解除することを特徴とする。
【００１６】
また、請求項９の発明にかかる画像形成方法は、画像情報から地紋パターンを検出する検出工程と、前記検出工程によって検出された地紋パターンを印刷禁止地紋パターンと比較して両パターンの一致を認識する認識工程と、前記認識工程によって認識された認識結果に基づいて原稿の印刷禁止範囲を判定する判定工程と、前記判定工程によって判定された印刷禁止範囲に所定の画像処理を施すように制御する制御工程と、前記制御工程によって制御された画像情報を記録紙へ印刷する印刷工程と、を含むことを特徴とする。
【００１７】
また、請求項１０の発明にかかる画像形成プログラムは、請求項９に記載の画像形成方法をコンピュータに実行させることを特徴とする。
【００１８】
また、請求項１１の発明にかかるコンピュータに読み取り可能な記録媒体は、請求項１０に記載の画像形成プログラムを記録したことを特徴とする。
【発明の効果】
【００１９】
本発明にかかる画像形成装置、画像形成方法、画像形成プログラムおよび記録媒体によれば、機密文書等の印刷禁止画像の複写物に所定の警告文等を付すことができるため、不正な印刷行為を抑制できるという効果を奏する。
【発明を実施するための最良の形態】
【００２０】
以下に添付図面を参照して、この発明にかかる画像形成装置の好適な実施の形態を詳細に説明する。
【００２１】
（実施の形態１）
まず、本発明の実施の形態にかかる画像形成装置について説明する。図１は、本発明の画像形成装置の電気的な構成を示すブロック図である。
【００２２】
本発明の実施の形態１にかかる画像形成装置１００は、システム制御部１０１と、読み取り部１０２と、画像情報記憶部１０３と、地紋パターン検出部１０４と、印刷禁止地紋パターン記憶部１０５と、パターン一致認識部１０６と、印刷禁止範囲判定部１０７と、印刷部１０８と、表示部１０９と、管理者権限認証部１１０と、を含み構成されており、これら各部はバス１１１により接続されている。
【００２３】
システム制御部１０１は、ＣＰＵ（ＣＰＵ：Ｃｅｎｔｒａｌ  Ｐｒｏｃｅｓｓｉｎｇ  Ｕｎｉｔ）等を備えており、システム全体の制御を行う。読み取り部１０２は、不図示のイメージスキャナを備え、原稿に光を照射して、その反射光をレンズなどの光学系を介してイメージスキャナに入射することによって原稿を走査し、所定の解像度で原稿の画像情報を読み取る。
【００２４】
画像情報記憶部１０３は、読み取り部１０２によって読み取られた原稿の画像情報を記憶する。地紋パターン検出部１０４は、読み取り部１０２によって読み取られた原稿の画像情報から地紋パターンを検出する。
【００２５】
印刷禁止地紋パターン記憶部１０５は、印刷禁止の地紋パターンを記憶しており、たとえば印刷すると「複写禁止」の文字が浮かび上がる地紋パターンを記憶している。パターン一致認識部１０６は、地紋パターン検出部１０４によって検出された地紋パターン（以下、検出地紋パターンという）と印刷禁止地紋パターン記憶部１０５に記憶されている地紋パターン（以下、印刷禁止地紋パターンという）とを比較して両パターンの一致を認識する。
【００２６】
印刷禁止範囲判定部１０７は、パターン一致認識部１０６で検出地紋パターンと印刷禁止地紋パターンの一致が認識されると、原稿の画像情報を印刷禁止範囲と判定する。印刷部１０８は、画像情報記憶部１０３に記憶されている画像情報を取得して記録紙に印刷する。このとき、印刷部１０８は、読み取り部１０２で読み取った原稿の画像情報をすべて画像情報記憶部１０３に記憶終了してから、印刷動作を開始する。
【００２７】
表示部１０９は、不図示のテンキー、スタートキー、ファンクションキー、ワンタッチキー等の各種操作キーを備えた操作パネルおよび液晶ディスプレイ等で構成されている。また、表示部１０９は、ユーザが操作キーで入力した画像形成装置１００の動作に関する各種命令内容や、画像形成装置１００からユーザに用紙切れや、記録紙詰まり等の各種情報を表示する。
【００２８】
管理者権限認証部１１０は、ユーザが管理者等であるかを認証する。たとえば、ユーザによってＩＤと、パスワードなどを表示部１０９に入力することによって、予め、不図示のパスワード記憶部に記憶されているＩＤと、パスワードと、を照合して、管理者権限認証部１１０がユーザを管理者等であると認証する。
【００２９】
次に、上記構成による画像形成装置１００の動作を説明する。図２は、本発明の画像形成装置の動作を示すフローチャートである。
【００３０】
図２のフローチャートにおいて、ユーザが原稿をセットしてスタートキーを押すと、画像形成装置１００は、動作を開始する。読み取り部１０２は、原稿を読み取る（ステップＳ２０１）。この読み取りは、イメージスキャナを用いて行う。読み取り部１０２で読み取られた原稿の画像情報は、画像情報記憶部１０３に記憶される。
【００３１】
次に、地紋パターン検出部１０４は、画像情報記憶部１０３に記憶された画像情報から地紋パターンを検出したかを判断する（ステップＳ２０２）。画像情報に地紋パターンが含まれている場合は、画像情報から地紋パターンを検出する。
【００３２】
地紋パターン検出部１０４が地紋パターンを検出した場合（ステップＳ２０２：Ｙｅｓ）は、パターン一致認識部１０６は、地紋パターン検出部１０４によって検出された地紋パターンと、印刷禁止地紋パターン記憶部１０５に記憶されている地紋パターンと、を比較する。
【００３３】
次に、パターン一致認識部１０６によって、認識結果は、両パターンの一致であるか否かを判断する（ステップＳ２０３）。パターン一致認識部１０６によって検出地紋パターンと、印刷禁止地紋パターンと、を比較した結果、両パターンの一致が認識された場合（ステップＳ２０３：Ｙｅｓ）は、印刷禁止範囲判定部１０７は、印刷禁止範囲を判定する（ステップＳ２０４）。
【００３４】
この場合、システム制御部１０１は、原稿画像のすべてを印刷禁止と判断する。そして、システム制御部１０１は、画像情報記憶部１０３から取得した原稿の画像情報の印刷を禁止するように印刷部１０８を制御する（ステップＳ２０５）。また、システム制御部１０１は、印刷禁止範囲の一部分に印刷禁止を示す所定画像を印刷するように印刷部１０８を制御する（ステップＳ２０６）。なお、印刷禁止を示す所定画像の詳細な説明は、図３を用いて後述する。
【００３５】
さらに、システム制御部１０１は、「複写禁止の原稿がコピーされようとしたため、印刷禁止範囲の画像情報を印刷せずに記録紙を出力した」という印刷禁止警告等の旨を表示部１０９に警告表示する（ステップＳ２０７）。
【００３６】
次に、システム制御部１０１は、表示部１０９に表示された警告の警告解除があったか判断する（ステップＳ２０８）。ここで、解除がなかった場合（ステップＳ２０８：Ｎｏ）は、ステップＳ２０７に戻り、システム制御部１０１によって表示部１０９に表示された警告は、継続して表示される。また、管理者等が、たとえばパスワードと、ＩＤを表示部１０９に入力することによって警告を解除した場合（ステップＳ２０８：Ｙｅｓ）は、表示部１０９の警告表示が消え、一連の動作を終了する。
【００３７】
なお、地紋パターン検出部１０４によって、画像情報記憶部１０３に記憶された画像情報から地紋パターンが検出されなかった場合（ステップＳ２０２：Ｎｏ）や、パターン一致認識部１０６によって、検出された地紋パターンと印刷禁止地紋パターンの一致が認識されなかった場合（ステップＳ２０３：Ｎｏ）には、システム制御部１０１は、印刷部１０８を制御して、通常の印刷動作を実行させる（ステップＳ２０９）。このとき、印刷部１０８は、原稿の画像情報を印刷し、一連の動作を終了する。
【００３８】
ここで、図３を用いて印刷禁止を示す所定画像の説明をする。図３は、印刷禁止を示す所定画像の一例を示す図である。印刷禁止を示す所定画像３００は、たとえば、警告文３０１と印刷動作を行った日付時刻３０２および画像形成装置１００を識別する英数字列３０３からなる。記録紙における所定画像３００の印刷位置は任意に設定できるものとする。
【００３９】
次に、原稿を実施の形態１の処理（図２参照）における画像形成装置１００によって印刷した結果を図４、図５を用いて説明する。
【００４０】
図４は、地紋パターンが形成された原稿の印刷結果を示す図であり、原稿の全面に印刷禁止地紋パターンが印刷されている。
【００４１】
原稿画像４００には、印刷禁止を示す地紋パターン４０１（図中網掛けの領域）が埋め込まれ、印刷禁止とする機密文書４０２が印刷されている。読み取り部１０２は、矢印４０３の方向に沿って原稿画像４００の読み取りを始め、印刷部１０８は、矢印４０４の方向に沿って、原稿画像４００を記録紙４１０に印刷していく。
【００４２】
原稿画像４００には、原稿全体に印刷禁止を示す地紋パターン４０１が埋め込まれているため、パターン一致認識部１０６は、検出地紋パターンと、印刷禁止地紋パターンと、の一致を認識する（図２のステップＳ２０３：Ｙｅｓに相当）。このとき、印刷禁止範囲判定部１０７は、原稿画像４００の全体を印刷禁止範囲として判定する。よって、印刷部１０８は、原稿画像４００の画像情報すべてに対して、印刷を行わず、記録紙４１０には印刷禁止を示す所定画像３００を印刷する。
【００４３】
図５は、地紋パターンが形成された原稿の印刷結果を示す図であり、原稿の一部分に印刷禁止地紋パターンが印刷されている。
【００４４】
原稿画像５００には、印刷禁止を示す地紋パターン５０１（図中網掛けの領域）が埋め込まれ、印刷禁止とする機密文書５０２が印刷されている。読み取り部１０２は、矢印５０３の方向に沿って原稿画像５００の読み取りを始め、印刷部１０８は、矢印５０４の方向に沿って原稿画像５００を記録紙５１０に印刷していく。
【００４５】
原稿画像５００には、原稿の一部分に印刷禁止を示す地紋パターン５０１が埋め込まれているが、パターン一致認識部１０６は、検出地紋パターンと、印刷禁止地紋パターンと、の一致を認識する（図２のステップＳ２０３：Ｙｅｓに相当）。印刷禁止範囲判定部１０７は、原稿画像５００において、一部分でも地紋パターンの一致が認識された場合には、原稿画像５００の全体を印刷禁止範囲として判定する。よって、印刷部１０８は、原稿画像５００の画像情報すべてに対して、印刷を行わず、記録紙５１０には、印刷禁止を示す所定画像３００を印刷する。
【００４６】
次に、図６を用いて、警告表示の解除を行う際の動作を説明する。図６は、警告表示解除の動作を示すフローチャートである。
【００４７】
図２のフローチャートで示したように、印刷を禁止するときには、表示部１０９に警告表示される（ステップＳ２０７）。ユーザが表示部１０９に表示されている警告表示を解除するためには、たとえば管理者等であることを証明するＩＤとパスワードを表示部１０９に入力して行う。そして、不図示のパスワード記憶部に記憶されているＩＤとパスワードに基づいて、管理者権限認証部１１０は、管理者認証したか判断する（ステップＳ６０１）。
【００４８】
管理者権限認証部１１０が、ユーザが入力したＩＤと、パスワードをパスワード記憶部に記憶されているＩＤと、パスワードと照合し、認証した場合（ステップＳ６０１：Ｙｅｓ）は、表示部１０９に表示された警告表示は、解除される（ステップＳ６０２）。また、管理者権限認証部１１０が、ユーザが入力したＩＤと、パスワードをパスワード記憶部に記憶されているものと照合し、認証しなかった場合（ステップＳ６０１：Ｎｏ）は、表示部１０９に表示されている警告表示は、解除されず、継続して表示される。
【００４９】
以上説明した本発明の実施の形態１によれば、印刷結果に、警告文３０１を印刷することで、ユーザに、原稿の画像情報が記録紙に印刷されていない理由を伝えることができ、故障等により原稿が印刷されない場合と区別することができる。さらに、警告文３０１をユーザに視認させることによって印刷行為に対する警告をわかりやすく伝えることができる。所定画像３００には、いかなる文字等を含み、たとえば印刷動作を行った日付時刻３０２および画像形成装置１００を識別する英数字列３０３を印刷することによって、いつ、どの画像形成装置で印刷禁止の原稿がコピーされようとしたかもわかる。
【００５０】
また、表示部１０９に「複写禁止の原稿がコピーされようとしたため、印刷禁止範囲の画像情報を印刷せずに記録紙を出力した」という印刷禁止警告等の旨が表示されることによって、原稿の画像情報が記録紙に印刷されていない理由を画像形成装置１００の表示部１０９からも知ることができる。たとえば複数枚の原稿を印刷する場合に、その中の１枚に印刷禁止の原稿が含まれているにもかかわらず、ユーザが印刷動作を終了するまで記録紙をとらなかった場合、ユーザは、記録紙で確認しなくても表示部１０９の表示から印刷禁止の原稿を印刷しようとしていたことを確認することができる。
【００５１】
さらに、この表示は、管理者等によって解除されるまで継続されるため、次のユーザが操作を行う際にも、以前に印刷禁止の原稿が印刷されようとしていたことを表示部１０９から改めて確認できる。
【００５２】
そして、警告表示の解除には、ユーザが管理者等であることの証明が必要となるので、悪意のあるユーザが印刷禁止原稿の印刷を試行した後に、その行為を隠蔽するために表示を解除できないため、不正行為を防止できる。
【００５３】
また、たとえば画像情報の文字等を判別できなくなる程度に塗りつぶしを行い、記録紙を排出するのではなく、印刷禁止範囲の画像情報を印刷しないようにすることで、塗りつぶしのためのトナー等の印字剤の消耗を抑えることができる。
【００５４】
ところで、読み取り部１０２が設けられていない画像形成装置においても、本発明と同様の処理を行うことができる。たとえば、あらかじめ記憶された画像情報を取得して印刷を行う、外部から画像情報を取得して印刷を行う等がある。
【００５５】
（実施の形態２）
次に、本発明の実施の形態２について、説明する。本発明の実施の形態２にかかる画像形成装置は、原稿画像を逐次取得しながら印刷動作を開始する構成である。実施の形態２の基本的構成は、前述した実施の形態１（図１参照）と同様であるため、説明を省略する。
【００５６】
図７を用いて、実施の形態２の動作を説明する。図７は、本発明の画像形成装置の動作を示すフローチャートである。図７において、ステップＳ２０２〜Ｓ２０９における動作は、前述した実施の形態１における動作（図２参照）と同様である。
【００５７】
図７のフローチャートにおいて、ユーザが原稿をセットしてスタートキーを押すと、画像形成装置１００は、動作を開始する。読み取り部１０２は、原稿全体ではなく一定面積毎に原稿を読み取る（ステップＳ７０１）。次に、地紋パターン検出部１０４は、画像情報記憶部１０３に記憶された、原稿の一定面積の画像情報から地紋パターンを検出したかを判断する（ステップＳ２０２）。読み取った画像情報に地紋パターンが含まれている場合は、読み取った画像情報から地紋パターンを検出する。
【００５８】
読み取った画像情報から、地紋パターン検出部１０４が地紋パターンを検出した場合（ステップＳ２０２：Ｙｅｓ）は、パターン一致認識部１０６による認識結果が両パターンの一致であるか否を判断する（ステップＳ２０３）。
【００５９】
パターン一致認識部１０６は、地紋パターン検出部１０４によって検出された地紋パターンと、印刷禁止地紋パターン記憶部１０５に記憶されている地紋パターンと、の比較を行う。このとき、パターン一致認識部１０６において両パターンの一致が認識された場合（ステップＳ２０３：Ｙｅｓ）は、印刷禁止範囲判定部１０７は、印刷禁止範囲を判定する（ステップＳ２０４）。
【００６０】
印刷禁止範囲が判定されると、システム制御部１０１は、図２におけるステップＳ２０５〜Ｓ２０８と同様の処理を実行する。つまり、システム制御部１０１は、原稿画像において、印刷禁止範囲を判定した位置以降を印刷禁止と判断する。そして、システム制御部１０１は、印刷禁止とした原稿の画像情報を印刷しないように印刷部１０８を制御する（ステップＳ２０５）。
【００６１】
さらに、システム制御部１０１は、印刷部１０８を制御し、印刷禁止範囲の一部分に印刷禁止を示す所定画像を印刷させる（ステップＳ２０６）。印刷禁止を示す所定画像、および「複写禁止の原稿がコピーされようとしたため、印刷禁止範囲の画像情報を印刷せずに記録紙に印刷した」等の旨を表示部１０９に警告表示させることについては（ステップＳ２０７）、実施の形態１における説明と同様である。
【００６２】
また、ステップＳ２０８における警告表示解除の動作についても、実施の形態１（図６参照）と同様で、管理者権限認証された場合は、警告表示が解除され、一連の動作を終了する。
【００６３】
なお、地紋パターン検出部１０４において、画像情報記憶部１０３に記憶された画像情報から地紋パターンが検出されなかった場合（ステップＳ２０２：Ｎｏ）や、パターン一致認識部１０６において、検出された地紋パターンと印刷禁止地紋パターンの一致が認識されなかった場合（ステップＳ２０３：Ｎｏ）には、システム制御部１０１は、印刷部１０８を制御して、読み取った一定面積の画像情報に対して、通常の印刷動作を実行させる（ステップＳ２０９）。
【００６４】
次に、システム制御部１０１は、すべての原稿画像に対して、印刷は終了したかを判断する（ステップＳ７０２）。印刷部１０８が、すべての原稿画像に対して、印刷を終了した場合（ステップＳ７０２：Ｙｅｓ）は、一連の動作を終了する。すべての原稿画像に対して印刷が終了していない場合（ステップＳ７０２：Ｎｏ）は、ステップＳ７０１に戻り、同様の処理を続ける。
【００６５】
次に、原稿を実施の形態２の処理（図７参照）における画像形成装置１００によって印刷した結果を図８、図９を用いて説明する。
【００６６】
図８は、地紋パターンが形成された原稿の印刷結果を示す図であり、原稿の全面に印刷禁止地紋パターンが印刷されている。
【００６７】
原稿画像４００には、印刷禁止を示す地紋パターン４０１（図中網掛けの領域）が埋め込まれ、印刷禁止とする機密文書４０２が印刷されている。読み取り部１０２は、矢印４０３の方向に沿って、原稿画像４００の読み取りを始め、印刷部１０８は、矢印４０４の方向に沿って、原稿画像４００を記録紙４１１に印刷していく。
【００６８】
原稿画像４００には、原稿全体に印刷禁止を示す地紋パターン４０１が埋め込まれているため、パターン一致認識部１０６は、最初に読み取り部１０２が読み取った一定面積の画像情報４０５から、検出地紋パターンと、印刷禁止地紋パターンと、の一致を認識する（図７のステップＳ２０３：Ｙｅｓに相当）。これにより、印刷禁止範囲判定部１０７は、最初に読み取った画像情報４０５を印刷禁止範囲と判定する。この場合、システム制御部１０１は、原稿画像４００のすべてを印刷禁止と判断する。よって、印刷部１０８は、原稿画像４００の画像情報すべてに対して、印刷を行わず、記録紙４１１には、印刷禁止を示す所定画像３００を印刷する。
【００６９】
図９は、地紋パターンが形成された原稿の印刷結果を示す図であり、原稿の一部分に印刷禁止地紋パターンが印刷されている。
【００７０】
原稿画像５００には、印刷禁止を示す地紋パターン５０１（図中網掛けの領域）が埋め込まれ、印刷禁止とする機密文書５０２が印刷されている。読み取り部１０２は、矢印５０３の方向に沿って原稿画像５００の読み取りを始め、印刷部１０８は、矢印５０４の方向に沿って原稿画像５００を記録紙５１１に印刷していく。
【００７１】
原稿画像５００には、原稿の一部分に印刷禁止を示す地紋パターン５０１が埋め込まれている。最初に読み取り部１０２が読み取る一定面積の画像情報５０５においては、印刷禁止を示す地紋パターン５０１は検出されない（図７のステップＳ２０２：Ｎｏに相当）。そのため、印刷部１０８は、画像情報５０５に対して、通常の印刷動作を行う。そして、読み取り部１０２が画像情報５０６の部分まで読み取りを行ったところで、印刷禁止を示す地紋パターン５０１が検出され（図７のステップＳ２０２：Ｙｅｓに相当）、パターン一致認識部１０６は、両パターンの一致を認識する（図７のステップＳ２０３：Ｙｅｓに相当）。
【００７２】
印刷禁止範囲判定部１０７は、画像情報５０６を印刷禁止範囲と判定するため、システム制御部１０１は、原稿画像５００において、画像情報５０６以降を印刷禁止と判断する。そして、システム制御部１０１は、原稿画像５００において、画像情報５０６以降の印刷を行わないように印刷部１０８を制御する。つまり、原稿画像５００において画像情報５０６までは、原稿の画像情報が印刷されるが、画像情報５０６以降は、原稿の画像情報は印刷されず、印刷禁止を示す所定画像３００を印刷している。
【００７３】
以上説明した本発明の実施の形態２によれば、読み取った原稿画像を画像情報記憶部１０３に画像情報を記憶しながら、画像情報記憶部１０３に記憶されていく画像情報を、印刷部１０８が逐次取得して印刷する。これにより、少ない画像情報記憶領域で印刷動作を実現でき、画像情報記憶部１０３の記憶容量を少なくできる。また、実施の形態１の画像形成装置よりも早いタイミングで印刷動作を開始できる。
【００７４】
なお、本実施の形態で説明した画像形成方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７５】
以上のように、本発明にかかる画像形成装置、画像形成方法、画像形成プログラムおよび記録媒体は、デジタル複写機、ファクシミリ、プリンタ、スキャナ、ネットワークファイルサーバなどの画像入出力機器に有用であり、特に、原稿の画像情報を、逐次取得して印刷動作を行うデジタル複写機に適している。
【図面の簡単な説明】
【００７６】
【図１】本発明の画像形成装置の電気的な構成を示すブロック図である。
【図２】本発明の画像形成装置の動作を示すフローチャートである。
【図３】印刷禁止を示す所定画像の一例を示す図である。
【図４】地紋パターンが形成された原稿の印刷結果を示す図である。
【図５】地紋パターンが形成された原稿の印刷結果を示す図である。
【図６】警告表示解除の動作を示すフローチャートである。
【図７】本発明の画像形成装置の動作を示すフローチャートである。
【図８】地紋パターンが形成された原稿の印刷結果を示す図である。
【図９】地紋パターンが形成された原稿の印刷結果を示す図である。
【符号の説明】
【００７７】
１００  画像形成装置
１０１  システム制御部
１０２  読み取り部
１０３  画像情報記憶部
１０４  地紋パターン検出部
１０５  印刷禁止地紋パターン記憶部
１０６  パターン一致認識部
１０７  印刷禁止範囲判定部
１０８  印刷部
１０９  表示部
１１０  管理者権限認証部
１１１  バス
【図１】
2007049656.tif 000003
【図２】
2007049656.tif 000004
【図３】
2007049656.tif 000005
【図４】
2007049656.tif 000006
【図５】
2007049656.tif 000007
【図６】
2007049656.tif 000008
【図７】
2007049656.tif 000009
【図８】
2007049656.tif 000010
【図９】
2007049656.tif 000011